(57)【要約】      （修正有）【課題】上室に設けられたファンモータと下室に設けたモータ駆動装置とを接続するハーネスを伝う水が上室から下室へ侵入することを防止できるエンジン駆動式空気調和装置の室外機を提供することを目的とする。【解決手段】仕切板３３より上方の開口部４６ｂで上室内に開口し、ハーネス４１を開口部４６ｂを通って上室から下室に配策する筒状の配策部材４６と、ファンモータ４０から垂下したハーネス４１の垂下部４１ｅからハーネス４１が開口部４６ｂに導入される直前部分４１ｄに至る間で上下方向において連続して仕切板３３の表面３３ａと開口部４６ｂとの間Ｈに位置するハーネス４１における水を採集する水採集部４１ｃと、上室内に設けられて水採集部４１ｃを上下方向において連続して仕切板３３の表面３３ａと開口部４６ｂとの間Ｈの位置に保持する保持部材６０、６０Ａと、を含む。【選択図】図８
2017181015.tif 000002
【特許請求の範囲】
【請求項１】
上下に天板および底板を備えた箱状のハウジングを仕切板によって上室および下室に分割し、エンジンと、前記エンジンによって駆動され空調用の冷媒を圧縮する圧縮機を前記下室に収納し、前記上室の側壁に設けられ前記圧縮機で圧縮された冷媒が循環され外気と熱交換を行う室外熱交換器と、外気を前記室外熱交換器を経由して前記上室内に導入し前記天板に形成された開口から外部に送出する室外送風ファンと、前記室外送風ファンを回転駆動するために前記上室の上方に設けられたファンモータを前記上室に収納し、前記ファンモータに接続されたハーネスが前記仕切板を貫通して前記下室に導入され、前記下室に設けられた前記ファンモータを駆動するモータ駆動装置に接続されるエンジン駆動式空気調和装置の室外機であって、
前記仕切板に外周面を液密的にシールして固定され、前記仕切板を貫通して前記上室内に突出して、前記仕切板より上方の開口部で前記上室内に開口し、前記ハーネスを前記開口部を通って前記上室から前記下室に配策する筒状の配策部材と、
前記ファンモータから垂下した前記ハーネスの垂下部から前記ハーネスが前記開口部に導入される直前部分に至る間で上下方向において連続して前記仕切板の表面と前記開口部との間に位置する前記ハーネスにおける水を採集する水採集部と、
前記上室内に設けられて前記水採集部を前記位置に保持する保持部材と、を含むエンジン駆動式空気調和装置の室外機。
【請求項２】
前記保持部材は、前記水採集部を挿通可能に保持する保持部を有する請求項１に記載のエンジン駆動式空気調和装置の室外機。
【請求項３】
前記保持部は、前記上室内に取り付けられた基部と、前記基部に設けられた枠部と、を有し、前記水採集部は前記枠部内を移動可能に挿通された請求項２に記載のエンジン駆動式空気調和装置の室外機。
【請求項４】
前記保持部材は、前記水採集部を前記仕切板に固定する固定部を有する請求項１に記載のエンジン駆動式空気調和装置の室外機。
【請求項５】
前記固定部は、前記仕切板に固定される基部と、前記基部と前記水採集部とを着脱可能に連結する連結部と、を有する請求項４に記載のエンジン駆動式空気調和装置の室外機。
【請求項６】
前記配策部材の上端部と前記ハーネスの前記開口部に導入される前記直前部分とを上方から被覆する蓋部材を備える請求項１乃至５のいずれか一項に記載のエンジン駆動式空気調和装置の室外機。
【請求項７】
前記配策部材は円筒形状をなし、前記上端部の上端縁に前記ハーネスを側方から前記開口部に導入するための凹状の切欠き部が形成されている請求項６に記載のエンジン駆動式空気調和装置の室外機。
【発明の詳細な説明】
【技術分野】
【０００１】
本発明は、エンジン駆動式空気調和装置の室外機に関する。
【背景技術】
【０００２】
エンジン駆動式空気調和装置の室外機は、箱状のハウジングを仕切板によって、水平方向に機械室と通気室とに分割し、機械室には、エンジンと、エンジンによって駆動され空調用の冷媒を圧縮する圧縮機を収容し、通気室には、圧縮機で圧縮された冷媒が循環され外気と熱交換を行う室外熱交換器と、外気を室外熱交換器を経由して導入し外部に送出する室外送風ファンと、室外送風ファンを回転駆動するファンモータが収容されている。通気室は、室外送風ファンにより積極的に外気を取り入れるために、雨水が入り込み易いため、通気室と機械室とに区切ることで、機械室内に雨水が入り込まない様にして、雨水に弱い圧縮機や、ファンモータを駆動するモータ駆動装置は、機械室に収容される。仕切板には、通気室に収容されたファンモータと機械室に収容されたモータ駆動装置とを接続するハーネスが貫通する切欠き部を、室外送風ファンから遠い位置に設けて、室外送風ファンを水で洗浄したり、雨が降ったりして水が通気室に浸入する様な場合でも、通気室から機械室へ水が浸入し難くしていた。（例えば、特許文献１参照。）
【先行技術文献】
【特許文献】
【０００３】
【特許文献１】特開２００８−１３８９６７号公報
【発明の概要】
【発明が解決しようとする課題】
【０００４】
エンジン駆動式空気調和装置の室外機は、容量の大きい室外熱交換器の使用や設置性を向上する場合は、ハウジングを仕切板によって上室および下室に分割し、エンジンと、エンジンによって駆動され空調用の冷媒を圧縮する圧縮機を下室に収納し、上室には、圧縮機で圧縮された冷媒が循環され外気と熱交換を行う室外熱交換器と、外気を熱交換器を経由して上室内に導入し天板に形成された開口から外部に送出する室外送風ファンと、室外送風ファンを回転駆動するファンモータを収納するとともに、上室に設けられたファンモータに接続されたハーネスが仕切板に設けた筒状の配策部材を通ってファンモータを駆動するモータ駆動装置に接続される。この様に、ハウジングを仕切板によって上室および下室に分割し、上室に設けられたファンモータに接続されてファンモータから垂下したハーネスが仕切板に設けた筒状の配策部材を通って、下室に設けられたモータ駆動装置に接続される構成においては、たとえ、配策部材を送風ファンから遠い位置に設けても、上室には、天板の開口即ち上方から水例えば雨水や室外送風ファンを水で洗浄した水が浸入し、上室内に侵入した水は、垂下したハーネスを伝いながら、配策部材も通り抜けて、下室に侵入することとなり、下室への水の侵入を抑制できない。
【０００５】
そこで、本発明は、上室に設けられたファンモータと下室に設けたファンモータを駆動するモータ駆動装置とを接続するハーネスを伝う水が上室から下室へ侵入することを防止できるエンジン駆動式空気調和装置の室外機を提供することを目的とする。
【課題を解決するための手段】
【０００６】
上記課題を解決するために、本発明に係るエンジン駆動式空気調和装置の室外機は、上下に天板および底板を備えた箱状のハウジングを仕切板によって上室および下室に分割し、エンジンと、前記エンジンによって駆動され空調用の冷媒を圧縮する圧縮機を前記下室に収納し、前記上室の側壁に設けられ前記圧縮機で圧縮された冷媒が循環され外気と熱交換を行う室外熱交換器と、外気を前記室外熱交換器を経由して前記上室内に導入し前記天板に形成された開口から外部に送出する室外送風ファンと、前記室外送風ファンを回転駆動するために前記上室の上方に設けられたファンモータを前記上室に収納し、前記ファンモータに接続されたハーネスが前記仕切板を貫通して前記下室に導入され、前記下室に設けられた前記ファンモータを駆動するモータ駆動装置に接続されるエンジン駆動式空気調和装置の室外機であって、前記仕切板に外周面を液密的にシールして固定され、前記仕切板を貫通して前記上室内に突出して、前記仕切板より上方の開口部で前記上室内に開口し、前記ハーネスを前記開口部を通って前記上室から前記下室に配策する筒状の配策部材と、前記ファンモータから垂下した前記ハーネスの垂下部から前記ハーネスが前記開口部に導入される直前部分に至る間で上下方向において連続して前記仕切板の表面と前記開口部との間に位置する前記ハーネスにおける水を採集する水採集部と、前記上室内に設けられて前記水採集部を前記位置に保持する保持部材と、を含むことを要旨とする。
【発明の効果】
【０００７】
本発明に係るエンジン駆動式空気調和装置の室外機によれば、配策部材と水採集部と保持部材とにより、ファンモータから垂下されたハーネスは、水採集部を経て、その水採集部よりも上方に位置する配策部材の開口部に導入されて、配策部材を通り、下室に設けられたファンモータを駆動するモータ駆動装置に接続される。従って、上室で、ファンモータから垂下されたハーネスを伝う水を、水採集部で採集することにより、上室から下室への水の侵入を防止できる。
【図面の簡単な説明】
【０００８】
【図１】本発明の一実施形態におけるエンジン駆動式空気調和装置を示す概略図である。
【図２】図１に示すエンジン駆動式空気調和装置の室外機の正面図である。
【図３】図１に示すエンジン駆動式空気調和装置の室外機の内部の一部を示す左側面図である。
【図４】図３のＡ部を示す斜視図である。
【図５】図４に示す配策部材の切欠き部と蓋部材との関係を説明する斜視図である。
【図６】図４に示す保持部材の連結部がハーネスを結束する前の状態を示す状態図である。
【図７】図４に示す保持部材の装着状態を示す状態図である。
【図８】図３に示すハーネスの水採集部を説明する模式図である。
【図９】図３のＡ部の他の実施例を示す斜視図である。
【発明を実施するための形態】
【０００９】
本発明に係るエンジン駆動式空気調和装置の室外機の一実施形態について、図１に基づいて説明する。
【００１０】
エンジン駆動式空気調和装置１０は、室内で空調を行う冷媒を調整する室外機１１と、室内の空調を行う室内機１２と、室外機１１と室内機１２を繋ぐ冷媒配管１３と、を備えている。
【００１１】
室外機１１は室外に配置されている。室外機１１は、エンジン１４と、エンジン１４の排気ガスに含まれている気相と液相とを分離させる気液分離部１５と、気液分離部１５から排出された液相に対して浄化処理を実施する排液浄化処理部１６と、エンジン１４で駆動され駆動に伴い気体状の冷媒を吸入して圧縮する圧縮機１７と、空調のために冷媒の熱交換を行う室外熱交換器１８と、冷媒配管１３の経路をエンジン駆動式空気調和装置１０の冷房運転時と暖房運転時とで切換える四方弁１９と、を有する。
【００１２】
室内機１２は、室内に配置されており、空調のために冷媒と室内の空気との熱交換を行う室内熱交換器２０と、冷媒を膨張させる絞り機構２１と、を有する。
【００１３】
エンジン１４により駆動される圧縮機１７と、四方弁１９と、室外熱交換器１８、絞り機構２１と、室内熱交換器２０と、を冷媒配管１３で接続することによって冷凍サイクルが構成されている。
【００１４】
エンジン駆動式空気調和装置１０の冷房運転時、エンジン１４によって圧縮機１７が駆動されると、この圧縮機１７から吐出された気体状の冷媒は冷媒配管１３の実線矢印で示すように、四方弁１９を経て室外熱交換器１８に入り、ここで室外送風ファン２２により送風される外気に放熱することによって凝縮液化する。
【００１５】
この液体状の冷媒は絞り機構２１を流過する過程で断熱膨張した後、室内熱交換器２０に入り、ここで室内送風ファン２３により送風される室内空気を冷却することによって蒸発気化する。しかる後、この気体状の冷媒は四方弁１９を経て圧縮機１７に戻る。
【００１６】
エンジン駆動式空気調和装置１０の暖房運転時には、四方弁１９が上記と逆方向に切り換えられ、圧縮機１７から吐出された冷媒は冷媒配管１３の破線矢印で示すように、四方弁１９、室内熱交換器２０、絞り機構２１、室外熱交換器１８、四方弁１９をこの順に経て圧縮機１７に戻る。
【００１７】
エンジン１４を冷却することによって昇温した冷却水はラジェータ２４に入り、ここで室外送風ファン２２により送風される外気に放熱することによって降温した後、冷却水循環ポンプ２５により付勢され、排気ガス熱交換器２６の伝熱管２７を流過する過程で伝熱管２７外の排気ガスと熱交換した後、エンジン１４に戻る。
【００１８】
エンジン１４から排出された排気ガスは、排気通路２８により、排気ガスに含まれている気相と液相とを分離させる気液分離部１５に供給される。排気通路２８には、前述の排気ガス熱交換器２６が介装されている。
【００１９】
気液分離部１５にて分離された排気ガスの気相は、気液分離部１５の上端の開口１５ａから、室外機１１の外方へ排出される。気液分離部１５にて分離された排気ガスの液相は、排出管路２９に介装された排液浄化処理部１６に導かれ、ここで炭酸カルシウム等の中和剤と接触して中和された後、排出管路２９から、室外機１１の外方へ排出される。
【００２０】
次に、室外機１１に設けられた前述の室外送風ファン２２を回転駆動するファンモータ４０のハーネス４１における室外機１１内部での配策を、図２〜図７に基づいて説明する。
【００２１】
室外機１１は、図２及び図３に示す如く、上方に天板３１及び下方の底板３２を備えた箱状のハウジング３０を有する。ハウジング３０の内部は、図３に示す如く、仕切板３３にて、上室３４と下室３５とに分割されている。
【００２２】
上室３４には、図３に示す如く、上室３４の側壁３４ａに設けられ圧縮機１７で圧縮された冷媒が循環され外気と熱交換を行う室外熱交換器１８と、外気を室外熱交換器１８を経由して上室３４内に導入し天板３１に形成された開口３１ａから外部に送出する室外送風ファン２２と、室外送風ファン２２を回転駆動するために上室３４の上方に設けられたファンモータ４０が収納されている。
【００２３】
下室３５には、図２に示す如く、エンジン１４と、エンジン１４によって駆動され空調用の冷媒を圧縮する圧縮機１７と、ファンモータ４０のハーネス４１が接続されたファンモータ４０を駆動するモータ駆動装置４２が収納されている。
【００２４】
室外送風ファン２２は、図３に示す如く、ハウジング３０の天板３１から吊り下げられたファン取付部材４３に装着されたファンモータ４０の出力軸４０ａに取付けられている。本実施形態においては、図２及び図３に示す如く、室外送風ファン２２は、二セット設けられている。これら室外送風ファン２２の取付位置に対応するようにハウジング３０の天板３１には開口３１ａが設けられており、開口３１ａには網状覆蓋４４が設けられている。この室外送風ファン２２は、冷房運転時と暖房運転時とで回転方向を逆転させることができ、室外熱交換器１８を通過する導入外気の流れ方向を変えて、室外熱交換器１８の働きを補助するものである。
【００２５】
上室３４に設けられたファンモータ４０と、下室３５に設けられたファンモータ４０を駆動するモータ駆動装置４２とは、仕切板３３を貫通するハーネス４１にて接続されている。
【００２６】
図３に示す如く、一端側４１ａがファンモータ４０に接続されたハーネス４１は、ファンモータ４０から垂下して、仕切板３３を貫通する筒状の配策部材４６を通り、ハーネス４１の他端側４１ｂがモータ駆動装置４２に接続される。
【００２７】
図３〜図５に示す如く、配策部材４６は、円筒形状をなし、例えば、ゴム製であり、その外周面がシリコンにて液密的にシールして仕切板３３の貫通孔（図示略）に固定されている。配策部材４６は、仕切板３３を貫通して上室３４内に突出し、上室３４と下室３５を連通する貫通穴４６ａが仕切板３３より上方の開口部４６ｂで上室３４内に開口し、ハーネス４１を貫通穴４６ａを通って上室３４から下室３５に配策する。
【００２８】
図４及び図５に示す如く、配策部材４６の上端部４６ｃ（図５に示す）と、ハーネス４１の開口部４６ｂに導入される直前部分４１ｄ（図４に示す）は、蓋部材４７にて被覆される。蓋部材４７により、水がハーネス４１の直前部分４１ｄを伝うことなく、水が直接に配策部材４６の開口部４６ｂ即ち貫通穴４６ａの上方から、貫通穴４６ａへ侵入することを防止できる。
【００２９】
配策部材４６は、図５に示す如く、上端部４６ｃの上端縁４６ｃ１に、ハーネス４１の直前部分４１ｄを側方から開口部４６ｂに導入するための凹状の切欠き部４６ｄが形成されている。切欠き部４６ｄにより、ハーネス４１を開口部４６ｂに導入するのに、ハーネス４１が、上端部４６ｃの上端縁４６ｃ１から上方へはみ出ることを防止できる。
【００３０】
図４及ぶ図５に示す如く、蓋部材４７の下方には、略半円弧形状の押し当て部４７ａが設けられる。押し当て部４７ａが、配策部材４６の側方から切欠き部４６ｄに導入されるハーネス４１の直前部分４１ｄを配策部材４６の外周に押し当てることにより、ハーネス４１の直前部分４１ｄが、配策部材４６の外周から脹らんで配策されるのを抑制できる。
【００３１】
ハーネス４１は、図３、図４及び図８に示す如く、ファンモータ４０から垂下したハーネスの垂下部４１ｅからハーネス４１が配策部材４６の開口部４６ｂに導入される直前部分４１ｄに至る間で、水を採集する水採集部４１ｃを備える。水採集部４１ｃは、例えば、略Ｕ字状又は略Ｗ字状の如く、上下方向において連続して仕切板３３の表面と開口部４６ｂとの間に位置する。
【００３２】
（保持部材）
ファンモータ４０から垂下されたハーネス４１は、水採集部４１ｃが、保持部材６０の固定部４５（後述する）により、図３、図４及び図８に示す如く、上下方向において連続して仕切板３３の表面３３ａと開口部４６ｂとの間Ｈ（図８に示す）に位置する様に保持されて、配策部材４６の開口部４６ｂに導入される。従って、上室３４で、ファンモータ４０から垂下されたハーネス４１を伝う水は、水採集部４１ｃで採集されるため、上室３４から下室３５への水の侵入を防止できる。
【００３３】
保持部材６０の固定部４５は、図６及び図７に示される如く、仕切板３３に、例えば溶接により、固定される基部４５ａと、基部４５ａにハーネス４１を着脱可能に連結する連結部４５ｂと、を備える。なお、基部４５ａの上下方向の高さ及び連結部４５ｂの上下方向の高さは、連結部４５ｂが基部４５ａに係合している場合に、ハーネス４１の水採集部４１ｃが上下方向において仕切板３３の表面３３ａと開口部４６ｂとの間Ｈに位置する保持ができる様に設定されている。
【００３４】
固定部４５の連結部４５ｂは、図６に示す如く、結束バンド５１にて形成される。結束バンド５１は、例えば鋸歯状の歯による係合溝５２を一面側に形成したバンド部５３の基端側に、そのバンド部５３を挿通可能に開口して内部にその係合溝５２に係合する係止爪５４を備える係止部５５を設けられている。バンド部５３をハーネス４１の水採集部４１ｃに巻き付けて係止部５５に挿通し係合溝５２を係止爪５４に係止させることによりそのハーネス４１の水採集部４１ｃを緊締し結束する。また、この結束バンド５１の係止部５５の近傍には、撓み部５６を支持部５７に支持させた矢印形状のクリップ５８が設けられており、このクリップ５８は、図７に示す如く、基部４５ａに開口する取付穴４５ａ１に撓み部５６を弾性変形させつつ差し込んで弾性復帰したときにその端部５６ａを取付穴４５ａ１の縁に係合させ固定することができるようになっている。
【００３５】
この様に、ハーネス４１の水採集部４１ｃは、着脱自在な連結部４５ｂ（結束バンド５１）にて結束され、連結部４５ｂのクリップ５８を保持部材６０の固定部４５の取付穴４５ａ１の縁に係合される。従って、ハーネス４１は、水採集部４１ｃが上下方向において仕切板３３の表面３３ａと開口部４６ｂとの間Ｈに位置して、連結部４５ｂにて固定部４５に着脱可能に固定される。又、保持部材６０にて、ハーネス４１の取り回しの経路の設定ができる。
【００３６】
仕切板３３の上面には、ハーネス４１を伝いながらハーネス４１の水採集部４１ｃに到達して仕切板３３の上面に滴下した水および室外機１１の天板３１の開口３１ａから進入してハーネス４１を伝うことなく仕切板３３の上面へ到達した水など上室３４内に侵入した水が溜まるが、仕切板３３の上面に溜まる水は、図示しない排水孔にては、上室３４から室外機１１の外部へ排水される。
【００３７】
以上、ハーネス４１は、二セットの室外送風ファン２２の内のうち、一セットの室外送風ファン２２に関し、ファンモータ４０とモータ駆動装置４２とを接続する例を説明した。しかしながら、ハーネス４１には、二セットの室外送風ファン２２の内のうち、他の一セットの室外送風ファン２２におけるファンモータ４０とモータ駆動装置４２とを接続するハーネスも一緒に束ねて構成することが可能であることは、明らかである。
【００３８】
（保持部材の他の実施例）
次に、本発明のエンジン駆動式空気調和装置の室外機における保持部材６０の他の実施例を、図８に基づいて説明する。
【００３９】
図９に示す保持部材６０Ａは、図３乃至図８に示した前述の保持部材６０と同様に上室３４内に設けられて、ハーネス４１の水採集部４１ｃが上下方向において仕切板３３の表面３３ａと配策部材４６の開口部４６ｂとの間Ｈに位置する様に保持する。なお、前述の実施例と同様な部材は、同一の符号にて示し、詳細な説明を省略する。
【００４０】
ファンモータ４０から垂下されたハーネス４１は、水採集部４１ｃが、保持部材６０Ａの保持部６１（後述する）により、図９に示す如く、上下方向において連続して仕切板３３の表面３３ａと開口部４６ｂとの間Ｈ（図８に示す）に位置する様に保持されて、配策部材４６の開口部４６ｂに導入される。従って、上室３４で、ファンモータ４０から垂下されたハーネス４１を伝う水は、水採集部４１ｃで採集されるため、上室３４から下室３５への水の侵入を防止できる。
【００４１】
保持部材６０Ａの保持部６１は、具体的には、図９に示される如く、上室３４内に設けられ、仕切板３３に、例えば溶接により、固定される基部６１ｂと、基部６１ｂに設けられてハーネス４１の水採集部４１ｃを挿通可能とする枠部６１ｃと、を有する。
【００４２】
枠部６１ｃの上下方向の高さは、水採集部４１ｃが、上下方向において仕切板３３の表面３３ａと配策部材４６の開口部４６ｂとの間Ｈに位置する保持ができる様に設定されている。
【００４３】
図９に示す如く、枠部６１ｃは、ハーネス４１の水採集部４１ｃを固定することなく、水採集部４１ｃが枠部６１ｃ内を移動可能に所定の自由度もって潜り抜けできる様に形成されている。
【００４４】
従って、前述の枠部６１ｃの存在により、例えば、ファンモータ４０をファン取付部材４３から取り外す際、ハーネス４１を持ち上げたり、横へ移動させる必要がある場合に、ハーネス４１の水採集部４１ｃが枠部６１ｃ内で上方又は横へ移動可能であるため、ハーネス４１を持ち上げたり、横へ移動させることができ、ハーネス４１はその持ち上げや横への移動にても、枠部６１ｃにてハーネス４１の水採集部４１ｃが枠部６１ｃ内を潜り抜けることを保持する。この結果、枠部６１ｃにより水採集部４１ｃが枠部６１ｃ内を潜り抜けることを保持されたハーネス４１を持ち上げたり、横へ移動しても、上室３４で、ファンモータ４０から垂下されたハーネス４１を伝う水は、水採集部４１ｃで採集されるため、上室３４から下室３５への水の侵入を防止できる。
【００４５】
図９に示す如く、配策部材４６の上端部４６ｃと、ハーネス４１の開口部４６ｂに導入される直前部分４１ｄは、蓋部材４７にて被覆される。蓋部材４７により、水がハーネス４１の直前部分４１ｄを伝うことなく、水が直接に配策部材４６の開口部４６ｂ即ち貫通穴４６ａの上方から、貫通穴４６ａへ侵入することを防止できる。
【００４６】
配策部材４６は、図９に示す如く、上端部４６ｃの上端縁４６ｃ１に、ハーネス４１を側方から開口部４６ｂに導入するための凹状の切欠き部４６ｄが形成されている。従って、切欠き部４６ｄにより、ハーネス４１を開口部４６ｂに導入するのに、ハーネス４１が、上端部４６ｃの上端縁４６ｃ１から上方へはみ出ることを防止できる。
【００４７】
図９に示す如く、蓋部材４７の下方には、略半円弧形状の押し下げ部４７ｂが設けられる。押し下げ部４７ｂは、配策部材４６の側方から切欠き部４６ｄに導入されるハーネス４１の直前部分４１ｄを上下方向において切欠き部４６ｄよりも下方へ押し下げる。これにより、ハーネス４１の直前部分４１ｄを伝う水は、保持部材６０Ａ方向に向うため、その結果、ハーネス４１の直前部分４１ｄを伝う水は、切欠き部４６ｄを経て配策部材４６の貫通穴４６ａに至ることが防止できる。
【００４８】
なお、保持部材６０Ａを上室３４内に設けるために、図９に示す保持部材６０Ａの基部６１ｂは、図３に示す保持部材６０の基部４５ａと同様に、仕切板３３に固定された例を示した。しかしながら、保持部材６０Ａの基部６１ｂは、これに代えて、例えば、上室３４の側壁３４ａ（図３に示す）に固定して、保持部材６０Ａを上室３４内に設ける様にすることも可能であることは明らかである。
【００４９】
上述のように、本実施形態に係るエンジン駆動式空気調和装置１０の室外機１１によれば、上下に天板３１および底板３２を備えた箱状のハウジング３０を仕切板３３によって上室３４および下室３５に分割し、エンジン１４と、エンジン１４によって駆動され空調用の冷媒を圧縮する圧縮機１７を下室３５に収納し、上室３４の側壁３４ａに設けられ圧縮機１７で圧縮された冷媒が循環され外気と熱交換を行う室外熱交換器１８と、外気を室外熱交換器１８を経由して上室３４内に導入し天板３１に形成された開口３１ａから外部に送出する室外送風ファン２２と、室外送風ファン２２を回転駆動するために上室３４の上方に設けられたファンモータ４０を上室３４に収納し、ファンモータ４０に接続されたハーネス４１が仕切板３３を貫通して下室３５に導入され、下室３５に設けられたファンモータを駆動するモータ駆動装置４２に接続されるエンジン駆動式空気調和装置１０の室外機１１であって、仕切板３３に外周面を液密的にシールして固定され、仕切板３３を貫通して上室３４内に突出して、仕切板３３より上方の開口部４６ｂで上室３４内に開口し、ハーネス４１を開口部４６ｂを通って上室３４から下室３５に配策する筒状の配策部材４６と、ファンモータ４０から垂下したハーネス４１の垂下部４１ｅからハーネス４１が開口部４６ｂに導入される直前部分４１ｄに至る間で上下方向において連続して仕切板３３の表面３３ａと開口部４６ｂとの間Ｈに位置するハーネス４１における水を採集する水採集部４１ｃと、上室３４内に設けられて水採集部４１ｃを上下方向において連続して仕切板３３の表面３３ａと開口部４６ｂとの間Ｈの位置に保持する保持部材６０、６０Ａと、を含む。
これにより、配策部材４６と水採集部４１ｃと保持部材６０、６０Ａとにより、ファンモータ４０から垂下されたハーネス４１は、水採集部４１ｃを経て、その水採集部４１ｃよりも上方に位置する配策部材４６の開口部４６ｂに導入されて、配策部材４６を通り、下室３５に設けられたファンモータ４０を駆動するモータ駆動装置に接続される。従って、上室３４で、ファンモータ４０から垂下されたハーネス４１を伝う水を、水採集部４１ｃで採集することにより、上室３４から下室３５への水の侵入を防止できる。
【００５０】
上述のように、本実施形態に係るエンジン駆動式空気調和装置１０の室外機１１によれば、保持部材６０Ａは、水採集部４１ｃを挿通可能に保持する保持部６１を有する。これにより、水採集部４１ｃは、保持部６１に挿通されることにより、水採集部４１ｃを上下方向において仕切板３３の表面３３ａと開口部４６ｂとの間Ｈに保持することが容易に行うことができる。
【００５１】
上述のように、本実施形態に係るエンジン駆動式空気調和装置１０の室外機１１によれば、保持部６１は、上室３４内に取り付けられた基部６１ｂと、基部６１ｂに設けられた枠部６１ｃと、を有し、水採集部４１ｃは枠部６１ｃ内を移動可能に挿通される。これにより、例えば、ファンモータ４０をファン取付部材４３から取り外す際、ハーネス４１を持ち上げたり、横へ移動させる必要がある場合に、ハーネス４１の水採集部４１ｃが枠部６１ｃ内で上方又は横へ移動可能であるため、ハーネス４１を持ち上げたり、横へ移動させることができ、ハーネス４１はその持ち上げや横への移動にても、枠部６１ｃにてハーネス４１の水採集部４１ｃが枠部６１ｃ内を潜り抜けることを保持する。この結果、枠部６１ｃにより水採集部４１ｃが枠部６１ｃ内を潜り抜けることを保持されたハーネス４１を持ち上げたり、横へ移動しても、上室３４で、ファンモータ４０から垂下されたハーネス４１を伝う水は、水採集部４１ｃで採集されるため、上室３４から下室３５への水の侵入を防止できる。
【００５２】
上述のように、本実施形態に係るエンジン駆動式空気調和装置１０の室外機１１によれば、保持部材６０は、水採集部４１ｃを仕切板３３に固定する固定部４５を有する。これにより、水採集部４１ｃを上下方向において仕切板３３の表面３３ａと開口部４６ｂとの間Ｈの位置に保持することができる。
【００５３】
上述のように、本実施形態に係るエンジン駆動式空気調和装置１０の室外機１１によれば、固定部４５は、仕切板３３に固定される基部４５ａと、基部４５ａと水採集部４１ｃとを着脱可能に連結する連結部４５ｂと、を有する。これにより、連結部４５ｂを基部４５ａに連結することにより，水採集部４１ｃを上下方向において仕切板３３の表面３３ａと開口部４６ｂとの間Ｈの位置に保持することが容易にできる。
【００５４】
上述のように、本実施形態に係るエンジン駆動式空気調和装置１０の室外機１１によれば、配策部材４６の上端部４６ｃとハーネス４１の開口部４６ｂに導入される直前部分４１ｄとを上方から被覆する蓋部材４７を備える。これにより、蓋部材４７にて、ハーネス４１を伝うことなく、水が直接に配策部材４６の開口部４６ｂに侵入することを防止できる。
【００５５】
上述のように、本実施形態に係るエンジン駆動式空気調和装置１０の室外機１１によれば、配策部材４６は円筒形状をなし、上端部４６ｃの上端縁４６ｃ１にハーネス４１を側方から開口部４６ｂに導入するための凹状の切欠き部４６ｄが形成されている。これにより、切欠き部４６ｄにより、ハーネス４１を開口部４６ｂに導入するのに、ハーネス４１が、上端部４６ｃの上端縁４６ｃ１から上方へはみ出ることを防止できる。
【００５６】
なお、複数の実施の形態が存在する場合、特に記載がある場合を除き、各々の実施の形態の特徴部分を適宜組合せることが可能であることは、明らかである。
【符号の説明】
【００５７】
１０…エンジン駆動式空気調和装置、１１…室外機、１４…エンジン、１７…圧縮機、１８…室外熱交換器、２２…室外送風ファン、３０…ハウジング、３１…天板、３１ａ…開口、３２…底板、３３…仕切板、３３ａ…表面、３４…上室、３４ａ…側壁、３５…下室、４０…ファンモータ、４１…ハーネス、４１ｃ…水採集部、４１ｄ…直前部分、４１ｅ…垂下部、４２…モータ駆動装置、４５…固定部、４５ａ…基部、４５ｂ…連結部、４６…配策部材、４６ｂ…開口部、４６ｃ…上端部、４６ｃ１…上端縁、４６ｄ…切欠き部、４７…蓋部材、６０…保持部材、６０Ａ…保持部材、６１…保持部、６１ｂ…基部、６１ｃ…枠部
【図１】
2017181015.tif 000003
【図２】
2017181015.tif 000004
【図３】
2017181015.tif 000005
【図４】
2017181015.tif 000006
【図５】
2017181015.tif 000007
【図６】
2017181015.tif 000008
【図７】
2017181015.tif 000009
【図８】
2017181015.tif 000010
【図９】
2017181015.tif 000011